(57)【要約】【課題】筐体の側壁と側壁の開口内に配置される覆部との間に均一幅の隙間を形成する開口覆蓋構造を提供する。【解決手段】開口５０を囲む側壁４０の内周縁部４４との間に隙間をあけて開口５０内に配置され筐体３１の内側を向く内向面６２を形成する覆部６１、側壁４０の内周縁部４４から開口５０内に突出し側壁４４の外壁面よりも凹む支持面５４を形成し支持面５４を内向面６２に当接させて覆部６１を支持する支持部５２、覆部６１に設けられ支持部５２を上側に押圧する第一弾性部７２、覆部６１に設けられ支持部５２を下側に押圧する第二弾性部８２、内向面６２から支持面５４側に突出する突出部９０、支持面５４に開口して突出部９０が挿入され互いに逆向きであって水平面に平行な二方向から突出部９０に当接する孔部５６、支持部５２からの覆部６１の離脱を防止する離脱防止手段７４，８４、９２、９８を備える。【選択図】　　図１
2004103869.tif 000002
【特許請求の範囲】
【請求項１】
筐体の側壁に設けられた開口を覆蓋する開口覆蓋構造であって、
前記開口を囲む前記側壁の内周縁部との間に隙間をあけて前記開口内に配置され、前記筐体の内側を向く内向面を形成する覆部と、
前記側壁の内周縁部から前記開口内に突出して、前記側壁の外壁面よりも凹む支持面を形成し、前記支持面を前記内向面に当接させることで前記覆部を支持する支持部と、
前記覆部に設けられ弾性力により前記支持部を上側に押圧する第一弾性部と、
前記覆部に設けられ弾性力により前記支持部を下側に押圧する第二弾性部と、
前記内向面及び前記支持面の一方から他方に向かって突出する突出部と、
前記内向面及び前記支持面の他方に開口して前記突出部が挿入され、互いに逆向きであって水平面に平行な二方向から前記突出部に当接する孔部と、
前記支持部からの前記覆部の離脱を防止する離脱防止手段と、
を備えることを特徴とする開口覆蓋構造。
【請求項２】
前記離脱防止手段は、前記第一弾性部に設けられ前記覆部との間に前記支持部を挟む第一挟部と、前記第二弾性部に設けられ前記覆部との間に前記支持部を挟む第二挟部とを有することを特徴とする請求項１に記載の開口覆蓋構造。
【請求項３】
前記離脱防止手段は、前記覆部において前記孔部への前記突出部の挿入箇所近傍に設けられ前記覆部との間に前記支持部を挟む第三挟部を有することを特徴とする請求項１又は２に記載の開口覆蓋構造。
【請求項４】
前記支持部は、前記開口の外周縁を覆う環状に前記支持面を形成し、
その環状支持面に前記内向面の外周縁部が当接することで前記開口が閉塞されることを特徴とする請求項１、２又は３に記載の開口覆蓋構造。
【請求項５】
画像を入力する入力部と、
側壁に開口が設けられた筐体を有し、入力された前記画像を印刷する出力部と、
前記開口を覆蓋する請求項１〜４のいずれか一項に記載の開口覆蓋構造と、
を備えることを特徴とする画像入出力装置。
【発明の詳細な説明】
【０００１】
【発明の属する技術分野】
本発明は、筐体の側壁に設けられた開口を覆蓋する開口覆蓋構造に関する。
【０００２】
【従来の技術】
従来、筐体の側壁に設けられた開口を覆蓋する開口覆蓋構造が知られており、例えば特許文献１に開示される如き開口覆蓋構造の一種を図９に示す。図９の開口覆蓋構造１００では、開口１０１よりも一まわり小さな覆部１０２を開口１０１内に配置して支持部１０３で支持している。支持部１０３は、開口１０１を囲む側壁１０４の内周縁部１０５から開口１０１内に向かって突出し、側壁１０４の外壁面１０６よりも凹む支持面１０７について開口１０１の外周縁を覆う環状に形成している。そして、筐体１０８の内側を向く覆部１０２の内向面１０９に支持部１０３の支持面１０７が当接することで、開口１０１が閉塞されている。
【０００３】
【特許文献１】
実開平６−７９１８４号公報
【０００４】
【発明が解決しようとする課題】
上記開口覆蓋構造１００では、弾性力により支持部１０３を上側に押圧する弾性部１１０が覆部１０２の上端部に設けられている。覆部１０２の下端部は、弾性部１１０の弾性力に対する支持部１０３の反力によって側壁１０４の内周縁部１０５に押し当てられる。そのため覆部１０２は、重力の作用に拘わらず上下方向の変位を規制される。しかし、上下方向において覆部１０２の外周縁部１１１と側壁１０４の内周縁部１０５との間に形成される隙間は上側に偏るため、筐体１０８の外観性が損なわれてしまう。
【０００５】
本発明は、上記問題に鑑みて創作されたものであって、その目的は、筐体の側壁と側壁の開口内に配置される覆部との間に均一幅の隙間を形成する開口覆蓋構造を提供することにある。
また、本発明の他の目的は、筐体の外観性を損なうことなく開口を覆蓋する開口覆蓋構造を提供することにある。
【０００６】
【課題を解決するための手段】
請求項１に記載の開口覆蓋構造は、筐体の側壁に設けられた開口を覆蓋する開口覆蓋構造であって、（ａ）開口を囲む側壁の内周縁部との間に隙間をあけて開口内に配置され、筐体の内側を向く内向面を形成する覆部と、（ｂ）側壁の内周縁部から開口内に突出して、側壁の外壁面よりも凹む支持面を形成し、支持面を内向面に当接させることで覆部を支持する支持部と、（ｃ）覆部に設けられ弾性力により支持部を上側に押圧する第一弾性部と、（ｄ）覆部に設けられ弾性力により支持部を下側に押圧する第二弾性部と、（ｅ）内向面及び支持面の一方から他方に向かって突出する突出部と、（ｆ）内向面及び支持面の他方に開口して突出部が挿入され、互いに逆向きであって水平面に平行な二方向から突出部に当接する孔部と、（ｇ）支持部からの覆部の離脱を防止する離脱防止手段と、を備えることを特徴とする。
【０００７】
この開口覆蓋構造によると、第一弾性部の弾性力に対する支持部の反力と第二弾性部の弾性力に対する支持部の反力とによって開口内の覆部を上下方向の所望の位置に配置することができる。したがって、覆部への重力作用に拘わらず、覆部の上下の縁部と側壁の内周縁部との間に均一幅の隙間を確保することが可能である。
【０００８】
また、互いに逆向きであって水平面に平行な二方向（以下、水平二方向ともいう）から孔部が突出部に当接するので、開口内の覆部を水平二方向の方向軸上の所望位置に配置することができる。したがって、覆部の両側縁部と側壁の内周縁部との間に均一幅の隙間を確保することが可能である。
【０００９】
またさらに、支持部からの覆部の離脱が離脱防止手段により防止されるので、開口内の覆部が筐体の外側に向かって飛び出さない。
このような請求項１に記載の開口覆蓋構造によれば、筐体の外観性を損なうことなく開口を覆蓋することができる。
【００１０】
請求項２に記載の開口覆蓋構造において離脱防止手段は、第一弾性部に設けられ覆部との間に支持部を挟む第一挟部と、第二弾性部に設けられ覆部との間に支持部を挟む第二挟部とを有する。これにより、離脱防止手段を簡素な構成で実現することができる。
【００１１】
請求項３に記載の開口覆蓋構造において離脱防止手段は、覆部において孔部への突出部の挿入箇所近傍に設けられ覆部との間に支持部を挟む第三挟部を有する。この第三挟部により、孔部への突出部の挿入箇所近傍で覆部の離脱が防止されるので、突出部が孔部から抜け出さない。したがって、突出部と孔部とによる覆部の位置決め作用を確実に得ることができる。
【００１２】
請求項４に記載の開口覆蓋構造では、支持部が開口の外周縁を覆う環状に支持面を形成し、その環状支持面に覆部内向面の外周縁部が当接することで開口が閉塞される。離脱防止手段により支持部からの離脱を防止される覆部は開口を確実に閉塞できるので、開口から筐体内に粉塵が進入することを抑制できる。
【００１３】
請求項５に記載の画像入出力装置は、（Ａ）画像を入力する入力部と、（Ｂ）側壁に開口が設けられた筐体を有し、入力された画像を印刷する出力部と、（Ｃ）開口を覆蓋する請求項１〜４のいずれか一項に記載の開口覆蓋構造と、を備えることを特徴とする。この画像入出力装置によると、上述した請求項１〜４に記載の開口覆蓋構造による効果を享受することができる。
【００１４】
【発明の実施の形態】
以下、本発明の実施の形態を示す一実施例を図面に基づいて説明する。
図２及び図３は、本発明の一実施例による開口覆蓋構造を備えた画像入出力装置１０を示している。画像入出力装置１０は、入力部１２と出力部１４とを上下の二段で組み合わせた複合機である。入力部１２はスキャナとして画像の読み取り入力機能を実現し、出力部１４はプリンタとして入力画像の印刷出力機能を実現する。
【００１５】
入力部１２は、出力部１４とは反対側に原稿台１６を備える箱形の可動ハウジング１８を有し、所謂フラットベッド型のスキャナを構成している。可動ハウジング１８の外部には、原稿台１６の盤面を覆う原稿台カバー２０が揺動可能に装着されている。可動ハウジング１８の内部には、キャリッジ２２、光源２４、ミラー２５、集光レンズ２６、リニアイメージセンサ２８及び処理回路２９が収容されている。キャリッジ２２は、原稿台１６の盤面と平行な水平方向に往復移動可能に設けられ、光源２４、ミラー２５及び集光レンズ２６からなる光学系とリニアイメージセンサ２８とを図３のα方向に運搬する。図３に破線で示すように光学系は、光源２４により照射された被写体Ｍの反射光像をミラー２５及び集光レンズ２６でリニアイメージセンサ２８に結像する。処理回路２９は電気的に接続されたケーブル３０を通じ、リニアイメージセンサ２８からの出力信号を出力部１４の印刷部３３に出力する。
【００１６】
出力部１４は、筐体としての固定ハウジング３１を有している。固定ハウジング３１は樹脂等で箱形に形成され、天壁３２側において可動ハウジング１８を揺動可能に支持している。固定ハウジング３１にはそれの側壁４０を貫通する開口５０が設けられ、かかる開口５０をカバー６０が覆蓋している。さらに固定ハウジング３１には、カバー６０を支持する支持部５２と、カバー６０を螺子留めするための螺子留め部５８（図４参照）とが設けられている。
【００１７】
固定ハウジング３１内には印刷部３３が収容されている。印刷部３３のキャリッジ３４は水平方向に往復移動可能に設けられ、搭載した複数のカートリッジ３５及び記録ヘッド３６を図３のβ方向に運搬する。各カートリッジ３５に収容されているインクは記録ヘッド３６により印刷用紙に滴状に噴射される。印刷部３３の搬送機構３７は、固定ハウジング３１の給紙口３８に供給された印刷用紙を所定の印刷位置まで搬送する。さらに搬送機構３７は、記録ヘッド３６により画像を印刷された印刷用紙を固定ハウジング３１の排紙口（図示しない）から排出する。印刷部３３の処理回路３９は、固定ハウジング３１内においてケーブル３０のコネクタ３０ａに電気的に接続されている。処理回路３９は、ケーブル３０を通じて入力されたリニアイメージセンサ２８の出力信号に基づき被写体像を表す画像データを生成する。さらに処理回路３９は、生成した画像データに基づきキャリッジ３４及び搬送機構３７の作動を制御することで、被写体像を表す画像を印刷用紙に印刷する。
【００１８】
図４及び図５は、固定ハウジング３１からカバー６０を取り外して開口５０を開放した状態を示している。以下、固定ハウジング３１と、それに設けられる開口５０、支持部５２及び螺子留め部５８について詳述する。
固定ハウジング３１の側壁４０は、概ねロ字状となるように接続された四つの側板部から構成されている。四つの側板部のうち一角部を形成する側板部４１と側板部４２とには、相互に跨る開口５０が設けられている。具体的に側板部４１は、側板部４２から離れるほど外側に膨出する湾曲板状に形成され、その湾曲カーブに沿って水平面に平行に延伸する矩形状に開口５０の大半部分５０ａを形成している。側板部４２は、側板部４１側の開口５０ａの延伸端部に繋がるように開口５０の残部５０ｂを形成している。カバー６０を取り外したとき開口５０は、コネクタ３０ａと処理回路３９との接続部位を外部に露出させる。
【００１９】
支持部５２は側壁４０と一体に設けられ、開口５０を囲む側壁４０の内周縁部４４から開口内５０に突出している。支持部５２は、開口５０の外周縁を覆う矩形の環板状に形成され、固定ハウジング３１の外側を向く面で支持面５４を形成している。支持面５４は、隣接する側板部４１，４２の外壁面４１ａ，４２ａよりも内側に凹んでいる。支持部５２は、上記開口５０ａの反側板部４２側の延伸端部に近接して孔部５６を形成している。孔部５６は支持部５２の側辺部５２ｃを板厚方向に貫通し、支持面５４に開口している。孔部５６は、所定幅で上下方向に延びる所謂長孔により構成されている。
螺子留め部５８は固定ハウジング３１内に配置され、側板部４２側の開口５０ｂに向かい合っている。
【００２０】
図１、図７及び図８は、図６に示すカバー６０を固定ハウジング３１に取り付けて開口５０を覆蓋した状態を示している。以下、カバー６０について詳述する。
カバー６０は樹脂等で形成され、開口５０よりも一まわり小さな矩形板状の覆部６１を有している。覆部６１は開口５０内に配置され、側壁４０の内周縁部４４との間に隙間をあけている。覆部６１は、側板部４２から離れるに従って側板部４１と同じカーブで湾曲している。覆部６１において固定ハウジング３１の内側を向く内向面６２の外周縁部に支持部５２の支持面５４が当接している。この当接により覆部６１は支持部５２に支持され、開口５０内の支持部５２の内孔５３を内向面６２で覆っている。本実施例では内向面６２の外周縁部全体が支持面５４に当接するため、覆部６１と支持部５２とで開口５０が閉塞され、固定ハウジング３１内への粉塵の進入が抑制されている。また、支持部５２に支持される覆部６１において固定ハウジング３１の外側を向く外向面６３は、それの外周側に拡がる側板部４１，４２の外壁面４１ａ，４２ａとほぼ面一となる。すなわち覆部６１は、側壁４０の外壁面よりも飛び出さないように開口５０内に収容される。
【００２１】
覆部６１の上端部には、第一突片７０が一体に設けられている。第一突片７０は水平面に平行な平板状に形成され、覆部６１の内向面６２から固定ハウジング３１の内側に向かって突出している。第一突片７０は、板厚方向に貫通するスリット７１を有している。スリット７１は、固定ハウジング３１の内側に向かって開くＵ字状を呈し、内周側に弾性部７２を形成している。弾性部７２は、上下方向に弾性変形可能である。第一突片７０はさらに、弾性部７２の上面から上方に突出する挟部７４を有している。図７に示すように挟部７４は、谷状に凹む曲面７５により支持部５２の上辺部５２ａの内周縁部に係合することで、覆部６１との間に上辺部５２ａを挟み、且つ弾性部７２を下側に向かって弾性変形させている。その変形によって生じる弾性力により弾性部７２は挟部７４を介して、上辺部５２ａを上側に押圧している。以上、弾性部７２が第一弾性部を構成し、挟部７４が第一挟部を構成している。
【００２２】
覆部６１の下端部には、第二突片８０が一体に設けられている。第二突片８０は水平面に平行な平板状に形成され、覆部６１の内向面６２から固定ハウジング３１の内側に向かって突出し、上下方向において第一突片７０に正対している。第二突片８０は、第一突片７０のスリット７１及び弾性部７２と同様な構成のスリット８１及び弾性部８２を有している。さらに第二突片８０は、弾性部８２の下面から下方に突出する挟部８４を有している。図７に示すように挟部８４は、谷状に凹む曲面８５により支持部５２の下辺部５２ｂの内周縁部に係合することで、覆部６１との間に下辺部５２ｂを挟み、且つ弾性部８２を上側に向かって弾性変形させている。その変形によって生じる弾性力により弾性部８２は挟部８４を介して、下辺部５２ｂを下側に押圧している。以上、弾性部８２が第二弾性部を構成し、挟部８４が第二挟部を構成している。
【００２３】
覆部６１において側板部４１側の側端部には、突条９０が一体に設けられている。突条９０は、覆部６１の内向面６２から支持面５４に向かって突出し、孔部５６に挿入されている。突条９０は、孔部５６とほぼ同じ幅で上下方向に延伸している。それにより突条９０は、幅方向の両側から、すなわち図８（Ａ）にＸ，Ｙで示す互いに逆向きであって水平面に平行な二方向から孔部５６の内周壁で挟まれている。換言すれば、孔部５６は水平二方向Ｘ，Ｙから突条９０に当接し、その水平二方向Ｘ，Ｙへの突条９０の相対変位を規制している。突条９０の上下方向の延伸長さは孔部５６のそれよりも短く設定されており、突条９０は孔部５６に対して上下方向に相対変位可能である。以上、突条９０が突出部を構成している。
【００２４】
覆部６１の側板部４１側の側端部にはさらに、係合爪９２が一体に設けられている。係合爪９２は、突条９０を上下方向に挟むように二つ、突条９０の近傍位置に形成されている。係合爪９２は水平面に垂直な平板状に形成され、その板厚方向に弾性変形可能である。図８（Ｂ）に示すように、係合爪９２は覆部６１の内向面６２から内側に向かって斜めに突出し、支持部５２の側辺部５２ｃの反支持面側に係合している。その係合により係合爪９２は、覆部６１との間に側辺部５２ｃを挟んでいる。以上、係合爪９２が第三挟部を構成している。
【００２５】
覆部６１において側板部４２側の側端部には、板厚方向に貫通する断面円形の螺子孔９４が設けられている。螺子孔９４は、外向面６３に開口する大径部９５と、内向面６２に開口する小径部９６とを有している。大径部９５には螺子部材９８の頭部が挿入され、小径部９６には螺子部材９８の軸部が挿入されている。このようにして螺子孔９４に通された螺子部材９８の軸部の先端側は螺子留め部５８に螺着されている。
【００２６】
上述した画像入出力装置１０の組立時には、固定ハウジング３１からカバー６０を取り外してケーブル３０のコネクタ３０ａを処理回路３９に接続した後に、カバー６０を固定ハウジング３１に取り付ける。具体的には、弾性部７２と弾性部８２を弾性変形させながら、挟部７４と挟部８４とを支持部５２の上辺部５２ａと下辺部５２ｂとにそれぞれ係合する。またそれと共に、係合爪９２を支持部５２の側辺部５２ｃに係合し、突条９０を孔部５６に嵌入する。その後、螺子部材９８で覆部６１を螺子留め部５８に螺子留めする。以上により、覆部６１が支持部５２に支持されて開口５０内に配置される。この配置状態において、覆部６１が側壁４０の内周縁部４４との間に形成する隙間は周方向で均一幅となる。
【００２７】
画像入出力装置１０では、弾性部７２の弾性押圧力に対する上辺部５２ａの反力が下向きに覆部６１に作用し、弾性部８２の弾性押圧力に対する下辺部５２ｂの反力が上向きに覆部６１に作用する。そのような互いに逆向きの反力作用により覆部６１は上下方向に位置決めされる。そのため、覆部６１の上下の縁部と側壁４０の内周縁部４４との間に形成される隙間の幅ｄ１，ｄ２（図１及び図７参照）は覆部６１への重力作用に拘わらず均一に確保される。
【００２８】
また画像入出力装置１０では、孔部５６により突条９０が水平二方向Ｘ，Ｙへの相対変位を規制されて位置決めされているので、覆部６１の両側縁部と側壁４０の内周縁部４４との間に形成される隙間の幅ｄ３，ｄ４（図１参照）が均一に確保される。しかも突条９０は孔部５６に対し上下方向に相対変位可能であるため、上記弾性部７２，８２による覆部６１の位置決め作用は阻害されない。
【００２９】
さらに画像入出力装置１０では、挟部７４、挟部８４及び係合爪９２と覆部６１との間に支持部５２が挟持され、螺子部材９８により覆部６１が螺子留め部５８に固定されている。そのため、覆部６１が支持部５２から離脱し側壁４０の外壁面よりも飛び出すことを阻止できる。また特に係合爪９２は、孔部５６への突条９０の挿入箇所近傍において覆部６１の離脱を防止するので、孔部５６から突条９０が抜出すことを阻止できる。そのため、上記突条９０及び孔部５６による覆部６１の位置決め作用が確実に得られる。
このように画像入出力装置１０によれば、側壁４０と覆部６１との間に均一幅の隙間を形成できると共に、覆部６１の飛び出しを阻止できるので、固定ハウジング３１の外観性を損なうことがない。
【００３０】
尚、上記実施例では、挟部７４、挟部８４、係合爪９２及び螺子部材９８が離脱防止手段を構成しているが、それら要素７４、８４、９２、９８のうちの一つ、二つ又は三つを離脱防止手段として採用してもよい。あるいは、それら要素７４、８４、９２、９８の他に、覆部６１の離脱防止機能を実現可能な構造を離脱防止手段として採用してもよい。
【００３１】
また上記実施例では、開口５０の外周縁を覆う環板状の支持部５２を設けているが、開口５０の周方向において並ぶ複数の支持部を設けるようにしてもよい。さらに上記実施例では、画像入出力装置１０の出力部１４の筐体（固定ハウジング３１）に本発明の開口覆蓋構造を適用した例を示したが、本発明は、側壁に開口が設けられる各種の筐体に適用可能である。
【図面の簡単な説明】
【図１】本発明の一実施例による画像入出力装置において固定ハウジングにカバーを取り付けた状態を示す図であって、（Ａ）は縦断面図、（Ｂ）は横断面図である。
【図２】本発明の一実施例による画像入出力装置を示す外観斜視図である。
【図３】本発明の一実施例による画像入出力装置を模式的に示す縦断面図である。
【図４】本発明の一実施例による画像入出力装置において固定ハウジングからカバーを取り外した状態を示す斜視図である。
【図５】本発明の一実施例による画像入出力装置において固定ハウジングからカバーを取り外した状態を示す横断面図である。
【図６】本発明の一実施例による画像入出力装置のカバーを示す斜視図である。
【図７】本発明の一実施例による画像入出力装置において固定ハウジングにカバーを取り付けた状態を示す図であって、図１（Ａ）の要部の拡大図である。
【図８】本発明の一実施例による画像入出力装置において固定ハウジングにカバーを取り付けた状態を示す図であって、（Ａ），（Ｂ）はそれぞれ図１（Ａ）におけるＡ８−Ａ８線断面図及びＢ８−Ｂ８線断面図である。
【図９】従来の開口覆蓋構造を示す図であって、（Ａ）は斜視図、（Ｂ）は（Ａ）におけるＢ９−Ｂ９線断面図である。
【符号の説明】
１０　画像入出力装置
１２　入力部
１４　出力部
３１　固定ハウジング（筐体）
４０　側壁
４１，４２　側板部（側壁）
４４　内周縁部
５０　開口
５２　支持部
５２ａ　上辺部（支持部）
５２ｂ　下辺部（支持部）
５２ｃ　側辺部（支持部）
５４　支持面
５６　孔部
６０　カバー
６１　覆部
６２　内向面
６３　外向面
７０　第一突片
７２　弾性部（第一弾性部）
７４　挟部（第一挟部、離脱防止手段）
８０　第二突片
８２　弾性部（第二弾性部）
８４　挟部（第二挟部、離脱防止手段）
９０　突条（突出部）
９２　係合爪（第三挟部、離脱防止手段）
９８　螺子部材（離脱防止手段）
ｄ１，ｄ２，ｄ３，ｄ４　隙間
【図１】
2004103869.tif 000003
【図２】
2004103869.tif 000004
【図３】
2004103869.tif 000005
【図４】
2004103869.tif 000006
【図５】
2004103869.tif 000007
【図６】
2004103869.tif 000008
【図７】
2004103869.tif 000009
【図８】
2004103869.tif 000010
【図９】
2004103869.tif 000011